(57)【要約】【課題】分別保管と選択払出を手作業で容易かつ的確に而も能率良く行える薬品類収納装置を実現する。【解決手段】開口３２を介して外部から薬品類８を出し入れしうる収納容器２０，３０を複数と、それに付設され数字を表示する表示器８０を複数と、薬品類払出情報９に基づき収納容器を選択して表示器に取出数を表示させる制御装置４０とを備え、収納容器に係る群分けを表示しうる複数の選択群表示部材が、表示器８０それぞれに含まれており、制御装置４０が、薬品類払出情報に基づく選択を複数並列に行えるものであり且つそれを行ったときにはそれらの選択に対応する群分けを選択群表示部材に表示させるようになっている。【選択図】        図１
2005288011.tif 000002
【特許請求の範囲】
【請求項１】
開口を介して外部から薬品類を出し入れしうる収納容器を複数と、前記収納容器に付設され少なくとも１桁以上の数字を含む数字表示を行う表示器を複数と、薬品類払出情報に基づき前記収納容器のうち何れか一つ又は複数のものを選択して前記表示器のうち前記選択に対応するものに取出数を表示させる制御装置とを備えた薬品類収納装置であって、前記収納容器に係る群分けを表示しうる複数の選択群表示部材が、前記表示器それぞれに含まれており、前記制御装置が、前記薬品類払出情報に基づく前記選択を複数並列に行えるものであり且つそれを行ったときにはそれらの選択に対応する群分けを前記選択群表示部材に表示させるようになっていることを特徴とする薬品類収納装置。
【請求項２】
開閉部材を有しこれで開閉される開口を介して外部から薬品類を出し入れしうる収納容器を複数と、前記収納容器に付設され該当する開閉部材に開動作を行わせる開駆動手段を複数と、前記収納容器に付設され少なくとも１桁以上の数字を含む表示を行う表示器を複数と、薬品類払出情報に基づき前記収納容器のうち何れか一つ又は複数のものを選択して前記開駆動手段のうち前記選択に対応するものを作動させるとともに前記表示器のうち前記選択に対応するものに取出数を表示させる制御装置とを備えた薬品類収納装置であって、前記収納容器に係る群分けを表示しうる複数の選択群表示部材が、前記表示器それぞれに含まれており、前記制御装置が、前記薬品類払出情報に基づく前記選択を複数並列に行えるものであり且つそれを行ったときにはそれらの選択に対応する群分けを前記選択群表示部材に表示させるようになっていることを特徴とする薬品類収納装置。
【請求項３】
手動で操作される選択群切換部材が、前記収納容器それぞれに付設されており、前記制御装置が、前記選択を複数並列に行っているときには、前記選択群切換部材の操作に応じて、前記表示器のうち付設先の同じものの表示内容を、それらの選択のうちで別の選択に対応するものに切り替えるようになっていることを特徴とする請求項１又は請求項２に記載された薬品類収納装置。
【請求項４】
手動で操作される選択群払出作業完了通知部材が、前記収納容器それぞれに付設されており、前記制御装置が、前記収納容器についての払出作業完了の判定を前記選択群払出作業完了通知部材の操作に応じて行うものであることを特徴とする請求項１乃至請求項３の何れかに記載された薬品類収納装置。
【請求項５】
前記選択群払出作業完了通知部材の操作状態を時刻情報と共に記録する手段と、その記録に基づいて集計処理を行う手段と、その集計結果を表示する手段とが、前記制御装置に設けられている、ことを特徴とする請求項４記載の薬品類収納装置。
【請求項６】
指示箋の読取装置または指示データの受信装置が設けられ、前記制御装置が前記読取装置または前記受信装置にて入力した情報に基づいて前記薬品類払出情報を調製するものであることを特徴とする請求項１乃至請求項５に記載された薬品類収納装置。
【発明の詳細な説明】
【技術分野】
【０００１】
この発明は、薬品収納装置や，薬品棚，調剤台，医療具保管庫などの薬品類収納装置に関し、詳しくは、医薬品や医療材料などの薬品類を人手で出し入れしうる収納容器を複数・多数具えていて、そこからの薬品類取出を薬品類払出情報に基づいて選択的に可能とする薬品類収納装置に関する。収納容器は、薬品類出入用の開口が常時開放されているものと、扉等の開閉部材にて開閉されるものとがある。
このような薬品類を収納対象とした分別保管払出機能付き収納庫・分配的機能付き収納庫を、本明細書では薬品類収納装置と呼ぶ。
【背景技術】
【０００２】
収納対象を薬品類に限らなければ、分別保管機能の付いた収納庫の典型例として、収納部が多数の区画室に区切られて各々の区画室に扉が着いている汎用のロッカーや設備用物品台などが挙げられる。
収納対象が薬品類の場合、アンプル剤等の薬品をカセットに整列収納しておきワンタッチで出し入れできるようになった薬品収納装置が知られている（例えば特許文献１参照）。
また、出し入れ対象のカセットをＬＥＤ等で案内表示するようになった薬品収納装置も知られている（例えば特許文献２参照）。
さらに、分別保管機能に加えて自動払出機能も付いた調剤用薬剤払出装置も知られている（例えば特許文献３参照）。
【０００３】
【特許文献１】特開２００１−１９８１９０号公報  （第１頁）
【特許文献２】特開２００１−１９８１９４号公報  （図５）
【特許文献３】特開２０００−１６７０２３号公報  （第１頁）
【発明の開示】
【発明が解決しようとする課題】
【０００４】
［未公開先行出願１］  特願２００２−３６０１９１号
［未公開先行出願２］  特願２００２−３６０１９４号
【０００５】
しかしながら、このような従来の収納庫では、扉付きの場合、隠蔽や施錠が可能なうえ薬品類の形態等に関する制約が少ないという長所がある一方、扉を開けてからで無ければ薬品類の出し入れが行えない。これに対し、ワンタッチ出し入れの場合、各収納容器の出入口が開放されているので、出し入れは簡便に行えるが、収納容器毎の隠蔽や施錠が遣りにくい。案内表示機能を付加して選択対象を見付けやすくしても、隠蔽や施錠が遣りにくいことは同じである。また、自動払出の場合、隠蔽収納されるが、薬品類の形態等が限定される。
【０００６】
このため、自動払出やワンタッチ出入に適さない薬品類、あるいは自動払出やワンタッチ出入が可能であっても運用上そのような取扱が行われない薬品類については、隠蔽して分別保管する場合、扉が付いていて閉塞可能な多数の区画室に収納しておいて払出時には選択した区画室の扉や引出を開けてから薬品類を取り出すということが手作業で行われており、作業性が良いとは言えない状況であった。
さらに、薬品類については、種類だけでなく、個数についても、誤り無く正確に取り出す必要があるため、作業者には精神的な負担も掛かっていた。
【０００７】
そこで、扉や引出が付いていて個々に閉塞することが可能になっている複数の収納容器に分別保管しておき必要なときに手作業で払い出す場合にも、取り出しやすくなるよう、それでいて取り間違いは起きにくいよう、薬品類収納装置を改良することが技術的な課題となる。
ところで、そのような課題を解決すべく、分別保管と選択払出を手作業で容易かつ的確に行える個別閉塞可能な薬品類収納装置を試作して（未公開先行出願１，２参照）、動作実験や利便性検討などを行ったところ、更なる課題も判明した。
【０００８】
すなわち、手作業での払出作業の能率向上を図るべく、処方箋単位や調剤指示箋単位での払出を複数並行して行えるようにすることが望ましく、しかも、それを払出単位の混合や利便性の低下など不所望な犠牲は無しに具体化することが更なる技術課題となる。
また、このような課題の解決は、個別閉塞可能な薬品類収納装置に限らず、常時開放の薬品類収納装置にも、有用であり、望ましい。
【課題を解決するための手段】
【０００９】
本発明の薬品類収納装置は（解決手段１）、このような課題を解決するために創案されたものであり、開口を介して外部から薬品類を出し入れしうる収納容器を複数と、前記収納容器に付設され少なくとも１桁以上の数字を含む数字表示を行う表示器を複数と、薬品類払出情報に基づき前記収納容器のうち何れか一つ又は複数のものを選択して前記表示器のうち前記選択に対応するものに取出数を表示させる制御装置とを備えた薬品類収納装置であって、前記収納容器に係る群分け（即ち払出単位での区分け）を表示しうる複数の選択群表示部材が、前記表示器それぞれに含まれており、前記制御装置が、前記薬品類払出情報に基づく前記選択を複数並列に行えるものであり且つそれを行ったときにはそれらの選択に対応する群分けを前記選択群表示部材に表示させるようになっていることを特徴とする。
【００１０】
また、本発明の薬品類収納装置は（解決手段２）、開閉部材を有しこれで開閉される開口を介して外部から薬品類を出し入れしうる収納容器を複数と、前記収納容器に付設され該当する開閉部材に開動作を行わせる開駆動手段を複数と、前記収納容器に付設され少なくとも１桁以上の数字を含む表示を行う表示器を複数と、薬品類払出情報に基づき前記収納容器のうち何れか一つ又は複数のものを選択して前記開駆動手段のうち前記選択に対応するものを作動させるとともに前記表示器のうち前記選択に対応するものに取出数を表示させる制御装置とを備えた薬品類収納装置であって、前記収納容器に係る群分けを表示しうる複数の選択群表示部材が、前記表示器それぞれに含まれており、前記制御装置が、前記薬品類払出情報に基づく前記選択を複数並列に行えるものであり且つそれを行ったときにはそれらの選択に対応する群分けを前記選択群表示部材に表示させるようになっていることを特徴とする。
【００１１】
さらに、本発明の薬品類収納装置は（解決手段３）、上記解決手段１，２の薬品類収納装置であって、手動で操作される選択群切換部材が、前記収納容器それぞれに付設されており、前記制御装置が、前記選択を複数並列に行っているときには、前記選択群切換部材の操作に応じて、前記表示器のうち付設先の同じものの表示内容を、それらの選択のうちで別の選択に対応するものに切り替えるようになっていることを特徴とする。
【００１２】
また、本発明の薬品類収納装置は（解決手段４）、上記解決手段１〜３の薬品類収納装置であって、手動で操作される選択群払出作業完了通知部材が、前記収納容器それぞれに付設されており、前記制御装置が、前記収納容器についての払出作業完了の判定を前記選択群払出作業完了通知部材の操作に応じて行うものであることを特徴とする。
【００１３】
また、本発明の薬品類収納装置は（解決手段５）、上記解決手段１〜４の薬品類収納装置であって、前記選択群払出作業完了通知部材の操作状態を時刻情報と共に記録する手段と、その記録に基づいて集計処理を行う手段と、その集計結果を表示する手段とが、前記制御装置に設けられている、ことを特徴とする。
【００１４】
また、本発明の薬品類収納装置は（解決手段６）、上記解決手段１〜５の薬品類収納装置であって、指示箋の読取装置または指示データの受信装置が設けられ、前記制御装置が前記読取装置または前記受信装置にて入力した情報に基づいて前記薬品類払出情報を調製するものであることを特徴とする。
【発明の効果】
【００１５】
このような本発明の薬品類収納装置にあっては（解決手段１）、複数の収納容器に分別収納でき、開口から薬品類を払い出すことができる。しかも、その際、薬品類払出情報に基づいて自動で取出対象の選択が行われるとともに、選択された収納容器に関しては、取り出すべき薬品類の個数が個々の収納容器毎に目前で表示されるので、薬品類を誤って多く取り出したり少なく取り出すおそれが無い又は少ない。そのため、この発明によれば、分別保管と選択払出を手作業で容易かつ的確に行える個別閉塞可能な薬品類収納装置を実現することができる。
【００１６】
さらに、薬品類払出情報に基づく選択が複数並列に行えるようになっているので、一つの選択（すなわち薬品類払出情報に基づく薬品類取出対象収納容器の選択）に係る払出作業が完了する前に、他の選択に係る払出作業を開始することができる。そして、そのようにしたときには、それらの選択に対応して、取出対象の各収納容器に係る群分け即ち払出単位での区分けが、選択群表示部材に表示される。これにより、それぞれの収納容器に付設された選択群表示部材の表示を一瞥すれば、その付設先の収納容器の取出数の案内が何れの選択・払出単位のものであるかが明確に判る。そのため、処方箋単位や調剤指示箋単位での払出を複数並行して行えるようにしても、払出単位の混合や利便性の低下などは招かないで済む。
したがって、この発明によれば、分別保管と選択払出を手作業で容易かつ的確に而も能率良く行える薬品類収納装置を実現することができる。
【００１７】
また、本発明の薬品類収納装置にあっては（解決手段２）、複数の収納容器に分別収納でき、開閉部材を閉めて閉塞状態・隠蔽状態にすることができ、開閉部材を開けて薬品類を払い出すことができる。しかも、その際、薬品類払出情報に基づいて自動で取出対象の選択が行われるとともに、選択された収納容器に関しては、やはり自動で、開閉部材が動作して、開口が開く。そのため、作業者は、開閉部材を開けるまでもなく、開いている収納容器から所要の薬品類を取り出すことで、容易かつ迅速に取出作業を遂行することができる。また、取出対象外の薬品類を収納している収納容器については開口が閉まっているので、不適切な薬品類を誤って取り出すおそれは無い又は少ない。さらに、取り出すべき薬品類の個数が個々の収納容器毎に目前で表示されるので、薬品類を誤って多く取り出したり少なく取り出すおそれも無い又は少ない。
【００１８】
このように分別保管薬品類の選択に加えて開動作まで自動で行えるようにしたことにより、所望の薬品類の在処が一目瞭然になると同時にその薬品類を取り出せる状態にもなる。そのため、作業者は、ほぼワンタッチ感覚で容易に、しかも見誤ったり迷ったりすることもなく的確に、所望の薬品類を取り出せる。さらに、取出対象として選択された各収納容器について取出数の個別表示までも行うようにしたことにより、取出数の案内が作業者の目前でなされるので、所望の薬品類を必要個数だけ取り出すことが気軽に而も正確に行えることとなる。そのため、この発明によれば、分別保管と選択払出を手作業で容易かつ的確に行える個別閉塞可能な薬品類収納装置を実現することができる。
【００１９】
さらに、薬品類払出情報に基づく選択が複数並列に行えるようになっているので、一つの選択に係る払出作業が完了する前に、他の選択に係る払出作業を開始することができる。そして、そのようにしたときには、それらの選択に対応して、取出対象の各収納容器に係る群分け即ち払出単位での区分けが、選択群表示部材に表示される。これにより、それぞれの収納容器に付設された選択群表示部材の表示を一瞥すれば、その付設先の収納容器の取出数の案内が何れの選択・払出単位のものであるかが明確に判る。そのため、処方箋単位や調剤指示箋単位での払出を複数並行して行えるようにしても、払出単位の混合や利便性の低下などは招かないで済む。
したがって、この発明によれば、分別保管と選択払出を手作業で容易かつ的確に而も能率良く行える個別閉塞可能な薬品類収納装置を実現することができる。
【００２０】
さらに、本発明の薬品類収納装置にあっては（解決手段３）、収納容器毎に選択群切換部材を操作して取出数などの表示内容を別の選択対応内容に切換えられるようにもしたことにより、払出作業の先後が選択および表示の先後に一致しないときなど、払出作業の順序を入れ替えたいときには、その順序が自在に変えられることとなる。
これにより、処方箋単位や調剤指示箋単位での払出を複数並行して行うに際して開始順に拘束されことなく払出を完了することが可能となり、作業能率が更に向上する。
【００２１】
また、本発明の薬品類収納装置にあっては（解決手段４）、収納容器から薬品類を取り出した後で選択群払出作業完了通知部材を手で操作すれば、その収納容器についての薬品類払出作業が完了したことが制御装置の自動判定にて検知されるようにしたことにより、その払出作業に関する表示内容の更新や指示箋単位等の払出の完了検知などについて、さらには次の払出作業に関する薬品類払出情報の取得や選択といった処理の開始についても、制御装置にて適切な自動管理を行うことができる。
【００２２】
また、本発明の薬品類収納装置にあっては（解決手段５）、選択群払出作業完了通知部材の操作状態を時刻情報と共に記録して集計処理も行えるようにしたことにより、在庫管理等の自動化も可能となる。
また、本発明の薬品類収納装置にあっては（解決手段６）、指示箋または指示データの入力に基づいて薬品類払出情報が自動調製されるようにしたことにより、払出指示の入力に際して、ミスが無くなる又は少なくなるうえ、作業負担が軽減される。
【発明を実施するための最良の形態】
【００２３】
このような解決手段で達成された本発明の薬品類収納装置について、これを実施するための形態を幾つか説明する。
【００２４】
特に、薬品類については、箱・瓶等の小容器に複数個を収容して必要なときに必要な個数だけ取り出せるようにしたものや、シート錠（ＰＴＰ）のように複数個を切断分離可能に包装したものなど、種々の形態が存在しており、このような分割取出もそうでない非分割取出も共に可能な薬品類の場合、取出対象の薬品類をどのように分割して取り出すかを作業者が暗算等にて決定してから数えあげる必要があるため、作業性に優れないばかりか作業者の精神的負担も重かった。
【００２５】
そこで、扉や引出が付いていて個々に閉塞することが可能になっている複数の収納容器に分別保管しておき必要なときに手作業で払い出す場合にも、取り出しやすくなるよう、それでいて非分割取出ばかりか分割取出であっても取り間違いは起きにくいよう、薬品類収納装置を更に改良することも重要である。
本発明の第１の実施形態は、このような更なる課題をも解決すべく創案されたものであり、そのために、上記解決手段の薬品類収納装置であって、前記制御装置が、前記表示器に取出数を表示させる際にその取出数を分割数と非分割数とに分けて表示させるようになっている。
【００２６】
この場合、分割されない薬品類に関しては取出数が単純に表示されるが、分割取出もそうでない非分割取出も共に可能な薬品類を収納している収納容器については、薬品類払出情報に基づく取出数が非分割数と分割数とに分けて該当収納容器の表示器に表示される。また、分割取出もそうでない非分割取出も共に可能な薬品類を分割取出用の収納容器と非分割取出用の収納容器とに分けて収納している場合は、取出数が非分割数と分割数とに分けられて、非分割数の部分は該当非分割取出用収納容器の表示器に表示され、分割数の部分は該当分割取出用収納容器の表示器に表示される。そのため、作業者は、端数のでるような薬品類についても、該当個所の表示に案内されて、容易かつ正確に、所望の薬品類を必要数だけ取り出すことができる。したがって、この実施形態によれば、分別保管と選択払出を分割取出も含めて手作業で容易かつ的確に行える個別閉塞可能な薬品類収納装置を実現することができる。
【００２７】
本発明の第２の実施形態は、上述した解決手段および実施形態の薬品類収納装置であって、前記開閉部材の開閉状態を検出する開閉検知手段が、前記収納容器それぞれに付設されており、前記制御装置が、前記開閉部材のうち開動作させたものについての払出作業完了の判定を前記開閉検知手段による閉動作の検出に基づいて行うようになっている、というものである。
これにより、収納容器から薬品類を取り出した後で開閉部材を手で閉めれば、その収納容器からの払出作業が完了したことや、更には一組の薬品類に関する払出作業が完了したことが、制御装置の自動判定にて検知されるので、各収納容器に係る表示内容の更新や指示箋単位等の払出の完了検知などについて、さらには次の払出作業に関する薬品類払出情報の取得や選択といった処理の開始についても、制御装置にて適切な自動管理を行うことができる。
【００２８】
本発明の第３の実施形態は、上記第２実施形態の薬品類収納装置であって、前記開閉部材の開閉状態を時刻情報と共に記録する記録手段と、その記録に基づいて集計処理を行う集計手段と、その集計結果を表示する表示手段とが、前記制御装置に設けられている、というものである。
これにより、在庫管理等の自動化も可能となる。
【００２９】
本発明の第４の実施形態は、上述した解決手段および実施形態の薬品類収納装置であって、前記開駆動手段は、永久磁石と，固定芯付きの電磁コイルと，その駆動電流の制御を行う駆動回路と，を具えたものであり、前記電磁コイルと前記永久磁石は、前記開閉部材を閉めたとき前記芯と前記永久磁石とが前記永久磁石の磁界内で対向する配置で、前記収納容器の本体部と前記開閉部材とに分かれて装着されており、前記駆動回路は、前記開閉部材の開動作に際して前記芯に前記永久磁石への反発力を生じさせるよう前記駆動電流の制御を行うものになっている、というものである。
【００３０】
このように電磁石と永久磁石との直接作用にて開くようにしたことにより、機構が簡素化されて、開閉部材の開閉動作は別として開閉部材およびその装着物における相対移動ばかりか収納容器本体部およびその装着物における相対移動も無いので、原価低減と信頼性向上とを同時に達成することができる。しかも、電磁石には固定芯が付いていて、この芯が非通電時には永久磁石と引き合うので、払出時以外には総ての収納容器について、払出時でも選択外の収納容器については、電磁石の使用にもかかわらず電力を浪費することなく、閉状態が確実に維持される。
【００３１】
このような解決手段や実施形態で達成された本発明の薬品類収納装置について、これを実施するための更に具体的な形態を、以下の実施例１〜３により説明する。
図１〜５に示した実施例１は、上述した解決手段２，６（出願当初の請求項２，６）及び第１〜４の実施形態を具現化したものであり、図６〜９に示した実施例２は、上述した解決手段１，２，３（出願当初の請求項１，２，３）を具現化したものであり、図１０〜１１に示した実施例３は、上述した解決手段１，３，４，５（出願当初の請求項１，３，４，５）を具現化したものである。
なお、それらの図示に際しては、簡明化等のため、ボルト等の締結具や，ヒンジ等の連結具などは図示を割愛し、発明の説明に必要なものや関連するものを中心に図示した。
【実施例１】
【００３２】
本発明の薬品類収納装置の実施例１について、その具体的な構成を、図面を引用して説明する。図１は、薬品類収納装置の外観斜視図であり、（ａ）が初期状態、（ｂ）が払出状態である。また、図２は、（ａ）が表示器の正面図、（ｂ）が薬品類の斜視図、（ｃ）及び（ｄ）が表示器の表示例である。さらに、図３は、引出箱ユニットの要部構造を示す斜視図であり、図４は、区画室ユニットの要部構造を示す斜視図であり、図５は、制御系のブロック図である。
【００３３】
この薬品類収納装置１０は（図１参照）、例えば設備用物品台を改良したものであり、上側の棚部１１と下側の台部１２とを具えている。棚部１１は縦横に仕切られて、例えば図示のものでは縦に３段で横に８列のマトリクス状に区画されて、多数の区画室ユニット３０（収納容器）が形成されている。区画室ユニット３０は何れも前面が大きく開口しており、薬品類収納装置１０の棚部１１は、庫外でその前に立った作業者が薬品類８を手にして区画室ユニット３０にその前面開口３２から入れたり出したりし易いようになっている。区画室ユニット３０には、それぞれ、その前面開口３２を開閉するための扉３１（開閉部材）が装着されている。扉３１は、図示の例では、一辺を蝶番にて９０゜以上双方向回転可能に支持されていて、向かって右側へ開動作しうるようになっている。さらに区画室ユニット３０には電磁石ユニット７０（開駆動手段）とスイッチ部６１（開閉検知手段）と表示器８０も装着されているが、これらは後に詳述する。
【００３４】
台部１２は、作業台を兼ねており、その上には、引出箱ユニット２０（収納容器）が、幾つか、図示の例では３個ほど、載置されている。指示箋９に印刷されたバーコードを読み取るためのバーコードリーダ５２（読取装置）と、情報等の手入力や表示を行うためのタッチパネル５５（操作入力手段および表示手段）も、載置されている。パーソナルコンピュータ又はマイクロプロセッサシステム等からなるプログラマブルなコントローラ４０（制御装置）は、台部１２の内部下方に格納されている。引出箱ユニット２０は、この例では何れも、箱体２１に引出２２（開閉部材）を納めたものであり、引出２２を手前に引き出すと上面開口２３が現れ、引出２２を箱体２１内に戻すと上面開口２３が隠れる。このような引出箱ユニット２０も、引出２２の進退にて開閉される上面開口２３を介して外部から薬品類を出し入れしうるものとなっている。この引出箱ユニット２０にもそれぞれ表示器８０が付設されている。
【００３５】
表示器８０は、付設先の引出箱ユニット２０や区画室ユニット３０に係る取出数を作業者に向けて案内表示するために引出箱ユニット２０や区画室ユニット３０の前面など見やすいところに装着されるが（図１参照）、この例では３桁の十進数を表示可能なものが採用されている（図２（ａ）参照）。それぞれの桁位置における一桁表示部に用いられる数字表示ユニット８１は、汎用品で良く、例えば、７セグメントの発光素子８２が数字パターン構成要素として「８」の字状に配置されるとともに、取出数を分割数と非分割数とに分けて表示する分割表示に際して区切り構成要素として利用可能な小数点セグメントの発光素子８３も付加されているものが、使いやすい。その他、ドットマトリクス構成の小形液晶パネル等も表示器８０に適している。また、各表示器８０には、区画室ユニット３０に係る群分けを三つまで表示できるよう、例えば発光色の異なる三個または三組の発光ダイオードからなり、色で群を示す赤色灯８４と緑色灯８５と青色灯８６も（選択群表示部材，払出単位表示灯，処方区別灯，待ち表示器）含まれている。
【００３６】
磁石ユニット７０は（図３参照）、電磁コイル７３に鉄芯７２を固定して組み合わせた電磁石と、それとは別体の永久磁石７１とを具えたものである。鉄芯７２は、例えば残留磁気の少ない軟鉄板を積層して棒状にしたものであり、コイル７３に通電すると強く磁化される他、永久磁石７１を近づけても磁化される。コイル７３のリード（引出線）には、ドライバ６０（駆動回路）から出て延びた給電線が接続されている。ドライバ６０には、コイル７３の磁化に必要な例えば１５Ｖや２４Ｖ等の直流電圧を発生する電源部６１と、コントローラ４０の制御に従って状態が切り替わり遮断状態か導通状態の何れかになるスイッチ部６２とが、設けられている。そして、スイッチ部６２が導通すると、コイル７３に駆動電流が供給されて、コイル７３及び鉄芯７２が鉄芯７２の長手方向に磁極を向けて強く磁化されるようになっている。
【００３７】
このような磁石ユニット７０は、引出箱ユニット２０それぞれに付設されており、それぞれ、コイル７３及び鉄芯７２は箱体２１の背板に固定され、永久磁石７１は引出２２の背板に固定される。また、そのような分離装着に加えて、ドライバ６０によるコイル７３への通電時には鉄芯７２と永久磁石７１とに反発力が発生し非通電時および逆向き通電時には引き合う力が生じるよう、次のような配置もなされる。すなわち、引出２２を箱体２１の奥まで押し込んだ状態で、永久磁石７１の磁極（Ｎ極またはＳ極）が鉄芯７２の一端面と向き合って、永久磁石７１の磁束の多くが鉄芯７２に達するようなところに、配置される。これにより、磁石ユニット７０は、通電によって永久磁石７１を前方へ押し出し、非通電時には後方へ引きつけることで、作動すると付設先の引出箱ユニット２０の引出２２に開動作を行わせるものとなる。
【００３８】
磁石ユニット７０は各区画室ユニット３０にも付設されるが（図４参照）、この場合は、前面の扉３１に開動作を行わせるために、永久磁石７１が扉３１に接着等にて装着されるので、鉄芯７２も前面側に来ていて仕切板３３（容器本体部）等に固定される。そして、薬品類収納の邪魔にならないよう、内張り板などで隠蔽されている。この場合も、永久磁石７１と鉄芯７２及びコイル７３は、扉３１を閉めたとき永久磁石７１と鉄芯７２とが永久磁石７１の磁界内で対向する配置で、扉３１と区画室ユニット３０本体部とに分かれて装着されている。区画室ユニット３０には、扉３１の開閉に応じてその内面と選択的に当接して扉３１の開閉状態を検出するセンサ６３（開閉検知手段）も付設されている。センサ６３は、そのような接触式に限らず、開閉状態を検出できれば非接触式のものでも良いが、検出結果を随時コントローラ４０へ信号伝送や通信等にて通知するようになっている。図示は割愛したが、同様のセンサ６３が各引出箱ユニット２０にも付設され、引出２２の開閉状態も検出しうるようになっている。
【００３９】
コントローラ４０は（図５参照）、例えばＬＡＮにて通信可能に接続されたドライバ６０を介してコイル７３を作動させるとともに、センサ６３から検出結果を収集するようになっている。さらに、表示器８０に対しては、数値データを送出して数字表示ユニット８１に取出数を表示させるとともに、赤色灯８４と緑色灯８５と青色灯８６の点灯と点滅と消灯も行うようになっている。また、コントローラ４０には、上述したバーコードリーダ５２やタッチパネル５５に加えて、外付けされた又は内蔵した通信ユニット５１（受信装置）も付設されていて、処方オーダーエントリシステム等の上位コンピュータから処方データその他の払出指示含有情報（指示データ）を受信しうるようにもなっている。また、それらに加えて更に、あるいはバーコードリーダ５２に代えて、指示箋９の印刷文字を読み取る文字読取装置５３や、磁気カードやＩＣカードの情報を読み取るカードリーダ５４を付設しても良い。何れにしても、受信装置５１や読取装置５２〜５４にて得られた情報は、コントローラ４０に入力されて、薬品類払出情報の調製に供されるようになっている。
【００４０】
さらに、コントローラ４０には、選択ルーチン４１と開閉兼案内ルーチン４２と判定ルーチン４３と記録ルーチン４４と集計ルーチン４５とがプログラムメモリ等にインストールされ、それらが実行時に参照するデータとしてコード対品種テーブル４６と品種対器テーブル４７と品種対個数テーブル４９とがハードディスク等にセットアップされている。プログラム実行に伴って蓄積されるログデータ４８の領域もハードディスク等に確保されている。
コード対品種テーブル４６は、薬品類番号等のコードで検索するとそれに対応した品種番号が得られるような配列等のデータベースであり、コードが異なっていても代替可能なものは同じ品種になっている。コードが手術セット番号のように幾つかの医薬品や医療材料を纏めて指定するものであるときには、それらの品種番号が総て得られるようにもなっている。
【００４１】
品種対器テーブル４７は、品種番号で検索するとそれに該当する薬品類を収納している引出箱ユニット２０又は区画室ユニット３０のアドレスが得られるような配列等のデータベースであり、同じ薬品類８を収納している収納容器２０，３０が複数存在するときには、空でない容器のアドレスが優先的に得られるようになっている。
品種対個数テーブル４９は、品種番号で検索するとそれに該当する薬品類についての分割表示算出用個数が得られるようになっている。分割表示算出用個数は、箱等に複数個収容されている薬品類８の場合その箱に初期状態で収容されている薬品類の個数であり、シート等に複数個包装した薬品類８の場合そのシートに初期状態で包装されている薬品類の個数であり、要するに一塊に纏められている薬品類の個数である。バラ収納の場合、分割表示算出用個数は「１」になる。
【００４２】
選択ルーチン４１は、通信ユニット５１を介して受信した又はバーコードリーダ５２で指示箋９から読み取った指示データがコントローラ４０に入力されると、その指示データから有効なコードを抽出し、コード対品種テーブル４６を検索して、払い出すべき薬品類の品種を求める。取出数も同じ抽出にて又は抽出および検索にて求める。それから、品種対器テーブル４７を検索して、払出対象の薬品類８が収納されている引出箱ユニット２０又は区画室ユニット３０のアドレスを求めることで、薬品類払出情報の調製と薬品類取出対象収納容器の選択を行うようになっている。薬品類払出情報に基づく薬品類取出対象収納容器の選択が三つまで並列に行えるよう、薬品類払出情報や選択内容などを記憶保持するメモリ領域は三群に区分けして確保されている。
【００４３】
開閉兼案内ルーチン４２は、選択ルーチン４１にて選択された引出箱ユニット２０又は区画室ユニット３０総てについて、付設されている磁石ユニット７０を通電動作させることで、引出２２又は扉３１を開けるようになっている。その際、フラグ操作等にて、三群を超える払出については処理を待ち合わせるようにもなっている。さらに、開閉兼案内ルーチン４２は、払出対象の薬品類８それぞれについて、品種対個数テーブル４９を検索して分割表示算出用個数を求めるとともに、その分割表示算出用個数で取出数を割る除算演算を行って商と余りも求め、それから、選択ルーチン４１にて選択された引出箱ユニット２０又は区画室ユニット３０（すなわち一の選択群や払出単位に係る収納容器）総てについて、それぞれの表示器８０に、該当する取出数のデータを送出するようになっている。その際、分割表示算出用個数が「１」の場合は、取出数をそのまま数値データにして表示器８０に送出するが、分割表示算出用個数が「２」以上の場合は、除算演算で得られた商と余りとを別個に数値データ化するとともに、それらの間に非数値データを含ませることで、分割表示用の数値データを完成させ、それを表示器８０に送出するようにもなっている。
【００４４】
また、開閉兼案内ルーチン４２は、薬品類払出情報に基づく薬品類取出対象収納容器の選択を上述の選択ルーチン４１が複数並列に行ったときには、それらの選択に対応する群分けを赤色灯８４と緑色灯８５と青色灯８６に表示させるようになっている。具体的には、最初に選択された引出箱ユニット２０又は区画室ユニット３０（すなわち一番目の選択群や払出単位に係る収納容器）総てについてそれぞれの表示器８０の赤色灯８４を点灯させ、次に選択された引出箱ユニット２０又は区画室ユニット３０（すなわち二番目の選択群や払出単位に係る収納容器）総てについてそれぞれの表示器８０の緑色灯８５を点灯させ、その次に選択された引出箱ユニット２０又は区画室ユニット３０（すなわち三番目の選択群や払出単位に係る収納容器）総てについてそれぞれの表示器８０の青色灯８６を点灯させ、その後は払出完了にて総て消灯した色を再利用するようになっている。なお、それらの点灯に際して、他の色の点灯が無い引出箱ユニット２０又は区画室ユニット３０については、点灯とともに上述の取出数の表示も行うが、他の色が先に点灯している引出箱ユニット２０又は区画室ユニット３０については、すなわち先行選択群と後続選択群との重複部分における後続選択群に係る表示については、色灯を点灯させるのでなく点滅させ、取出数の表示は行わずに先行の表示を残しておくようになっている。
【００４５】
判定ルーチン４３は、各センサ６３の検出結果を繰り返し収集することで、各収納容器２０，３０の開閉状態を監視するとともに、選択ルーチン４１によって選択され開閉兼案内ルーチン４２によって開けられた収納容器２０，３０のうち最も先行する選択の対象が総て閉められたか否かの判定を行って、総て閉められたら、開閉兼案内ルーチン４２とは逆のフラグ操作等を行って、次の払出に関する処理開始の待ち合わせを解除するようになっている。また、薬品類払出情報に基づく薬品類取出対象収納容器の選択が単発のときには、総ての表示器８０の表示をクリアするが、薬品類払出情報に基づく薬品類取出対象収納容器の選択が複数並列に行われたときには、最も先行する選択の対象となっている収納容器２０，３０について、それぞれの表示器８０における赤色灯８４と緑色灯８５と青色灯８６のうち該当するものを消灯するとともに取出数の表示を消す。さらに、それらのうち後続の選択の対象となっているものについては、該当色灯の点滅から点灯への変更と取出数の表示更新とを選択ルーチン４１に依頼するようにもなっている。
【００４６】
記録ルーチン４４は、選択ルーチン４１によって薬品類払出情報が調製される度にその情報をタイムスタンプ（時刻情報）を付してログデータとし、さらに、開閉兼案内ルーチン４２によって磁石ユニット７０が作動させられたとき及び判定ルーチン４３によって完了判定がなされたときにも、各センサ６３の検出結果にタイムスタンプを付してログデータとし、それらのログデータを時系列でログデータ４８に追加記録するようになっている。
集計ルーチン４５は、タッチパネル５５のメニュー選択等に応じてログデータ４８を加工し、例えば品種毎の払出数や在庫数などを算出して表形式やグラフ形式でタッチパネル５５の画面へ目視可能に表示するようになっている。
【００４７】
この実施例１の薬品類収納装置について、その使用態様及び動作を、図面を引用して説明する。図１（ａ）は、選択前の薬品類収納装置１０の状態、図１（ｂ）は、選択後の薬品類収納装置１０の状態を示している。また、図２（ｂ）の斜視図は、薬品類８がシート包装されたＰＴＰ錠のときの非分割状態と分割状態とを示しており、図２（ｃ）は、それに対応した分割表示例であり、図２（ｄ）は、他の分割表示および複数並列選択時の群分け表示の例である。
【００４８】
それぞれの引出箱ユニット２０や区画室ユニット３０には、薬品類８が予め品種毎に分別して収納されている。薬品類８は、例えば、医薬品であれば錠剤や，散薬，アンプル入り注射薬，水剤であり、医療材料であれば注射針等の施用具やカテーテルであるが、その他の薬品類であっても人手で取り扱えるものであれば良い。
それらを収納した初期状態では（図１（ａ）参照）、区画室ユニット３０は総て扉３１を閉められ、引出箱ユニット２０も総て引出２２を押し込まれる。
【００４９】
その状態で、指示箋９が届けられると、払出作業を担当する作業者は、バーコードリーダ５２に指示箋９を読ませる。そうすると、指示箋９に印刷されているバーコードが、バーコードリーダ５２にて読み取られ、そのコードが払出の指示情報としてコントローラ４０に入力される。指示箋９には、作業者が読み取れるよう明瞭な文字で払出対象の薬品類名と取出数も一覧印刷されており、バーコードではそれらと一対一で対応する情報あるいはコード対品種テーブル４６にて展開可能な等価情報が記入されているので、コントローラ４０の選択ルーチン４１によって対象薬品類収納中の引出箱ユニット２０や区画室ユニット３０が選択され、開閉兼案内ルーチン４２によって該当する磁石ユニット７０が通電作動させられて、対象の引出箱ユニット２０では引出２２が前方に押し出されて開き上面開口２３が作業者の目前に発現し開放状態となる。対象の区画室ユニット３０では、扉３１が前側に回転して開き、前面開口３２が作業者の目前に露呈し開放状態となる（図１（ｂ）参照）。
【００５０】
また、選択された引出箱ユニット２０及び区画室ユニット３０に付設の表示器８０の数字表示ユニット８１には、開閉兼案内ルーチン４２によって作成された数値データが送出されて、該当する引出箱ユニット２０又は区画室ユニット３０に収納中の薬品類８の取出数が表示される。薬品類８が箱やシート等で纏めることなくバラで収納されている場合、数字表示ユニット８１には取出数が単なる整数値で表示されるが、薬品類８が例えばシートで１４錠ずつ包装されている場合、そして、それの取出数が３１錠の場合には、１４錠入りシートを２枚と個々に分離したものを３個だけ（図２（ｂ）参照）取り出せば良いことを作業者に報せるべく、非分割数「２」と区切り「−」と分割数「３」とを連ねた３桁の案内表示が数字表示ユニット８１にて行われる（図２（ｃ）参照）。なお、上記「−」や空白文字のように一桁を占める非数値パターンを区切りに割り当てたくない場合や割り当てられない場合には、小数点用の発光素子８３を利用して非分割数と分割数とを分けることも行われる（図２（ｄ）参照）。また、バーコードリーダ５２での読取などによる薬品類払出情報に基づく薬品類取出対象収納容器の選択が単発でなされたときには、表示器８０での群分け表示として、選択された引出箱ユニット２０及び区画室ユニット３０に付設の表示器８０については色灯８４，８５，８６のうち例えば赤色灯８４が一斉に点灯させられる（図２（ｃ）参照）。
【００５１】
それらの表示器８０に取出数が案内表示され更に赤色が点灯した開状態の収納容器２０，３０について、順次、作業者は、表示器８０にて指定された取出数を見て指定の薬品類８を指定個数だけ取りだし、さらに入念には指示箋９も見て再確認して、取出後には引出２２や扉３１を閉める。そして、選択されて開けられた収納容器２０，３０が総て閉められたとき、指示箋９で指定された薬品類８が総て台部１２上に揃うとともに、薬品類収納装置１０は初期状態に戻って次の払出が可能となる。なお、払出の指示データが通信ユニット５１を介して得られたときには、それに基づいてコントローラ４０により上述した一連の自動処理が実行されるのに加えて、払出対象の薬品類名と取出数がタッチパネル５５の画面に一覧表示されるので、作業者はそれを見ながら同様に払出作業を遂行する。
【００５２】
また、バーコードリーダ５２での読取などによる薬品類払出情報に基づく薬品類取出対象収納容器の選択が単発でなく複数並列になされたときには、表示器８０での群分け表示として、先に選択された引出箱ユニット２０及び区画室ユニット３０に付設の表示器８０については色灯８４，８５，８６のうち例えば赤色灯８４が一斉に点灯させられ、後続の選択については色灯８４，８５，８６のうち残りの例えば緑色灯８５が点灯または点滅させられる（図２（ｄ）参照）。後続の選択群でも他の先行選択群と重複しない収納容器２０，３０に関しては緑色灯８５が点灯させられるのに対し、後続の選択群のうち他の先行選択群と重複する収納容器２０，３０に関しては後続側の緑色灯８５が点滅させられる。緑の後続選択群の払出作業を担当している作業者は、緑色灯８５点灯箇所の収納容器２０，３０からの払い出しだけを行って、緑色灯８５点滅箇所の収納容器２０，３０に関しては点灯に変わるのを待つ。赤の先行選択群の払出作業が進んで完了すると、緑色灯８５の点滅が点灯に変わるとともに数字表示ユニット８１の取出数表示も更新されるので、その後は、その案内に従って緑の後続選択群の払出作業も進め完了させる。
【００５３】
こうして、薬品類収納装置１０に閉塞状態で分別収納した各種の薬品類８に関する手作業での払出が容易かつ迅速に行われる。しかも、薬品類払出情報に基づく薬品類取出対象収納容器の選択が複数並列になされたときでも、単発選択のときと大差なく、容易かつ迅速に手作業で払い出せるうえ、異なる払出単位の薬品類８を不所望に混合して払い出す心配も無い。さらに、シート錠のように分割取出もそうでない非分割取出も共に可能な薬品類８を取り出す場合も、シート単位等で取り出すべき個数と１錠毎に分離して取り出すべき個数とに分けて案内表示がなされるので、作業者は、薬品類の分割の仕方などを慮る必要が無くて、気楽に、それでいて的確に、払出作業を遂行することができる。
【００５４】
また、その払出作業に随伴してログデータ４８が蓄積され、それに基づく集計処理によって使用頻度等をタッチパネル５５に表示させることもできるので、使用状況や在庫状態が容易かつ的確に把握される。そのため、薬品類収納装置１０への薬品類補充時期や、購入薬品類の追加発注数量なども、的確に判断することができる。なお、ログデータ４８のデータ構造は図示を割愛したが一般的なもので良く例えば固定長レコードの順編成ファイルや市販のデータロガーを利用したものでも良い。集計手法も汎用の表計算ソフトや市販の統計プログラムを利用したり改造したもので良い。また、定期的に又は要求等に応じて不定期にログデータ４８が図示しない医事管理コンピュータや在庫管理コンピュータにアップロードされるようにしても良い。
【実施例２】
【００５５】
本発明の薬品類収納装置の実施例２について、その具体的な構成を、図面を引用して説明する。図６は、薬品類収納装置の構造を示す正面図および部分拡大図である。
この薬品類収納装置１００が上述した実施例１の薬品類収納装置１０と相違する主な事項は、最上位の見やすいところに三個一組の赤色灯１１４と緑色灯１１５と青色灯１１６とが装備された点と、棚部１１の一画にバーコードリーダ５２が装着されるとともに赤色灯１２４と緑色灯１２５と青色灯１２６とが装備された点と、棚部１１に多数列設された区画室ユニット１３０それぞれに切換釦１３１が付設された点である。
【００５６】
切換釦１３１は、手動で操作される選択群切換部材（選択群切換釦，払出単位切換釦，処方切換子，待ち切換具）として、表示器８０と共に区画室ユニット１３０の前面に装着されており、その操作状態がコントローラ４０に信号入力されるようになっている。
赤色灯１１４，１２４は赤色灯８４に対応したものであり、緑色灯１１５，１２５は緑色灯８５に対応したものであり、青色灯１１６，１２６は青色灯８６に対応したものであり、それらは、例えば高輝度発光ダイオードやＬＥＤ列設ランプ等からなり、何れも目立つように大きめで明るくなっており、区画室ユニット１３０それぞれに付設される群分け表示用の複数の択群表示部材である色灯８４，８５，８６が三色より増減されれば、それに対応して増減されるものである。
【００５７】
図示は割愛したが、コントローラ４０も、プログラムが一部改造されており、何れかの赤色灯８４を点灯または点滅させているときには赤色灯１１４，１２４も点灯させ、何れかの緑色灯８５を点灯または点滅させているときには緑色灯１１５，１２５も点灯させ、何れかの青色灯８６を点灯または点滅させているときには青色灯１１６，１２６も点灯させるようになっている。また、選択ルーチン４１が薬品類払出情報に基づく薬品類取出対象収納容器の選択を複数並列に行ったときには、それらの選択に対応する群分けを赤色灯８４と緑色灯８５と青色灯８６に表示させる際に、後続の選択群のうち他の先行選択群と重複する区画室ユニット１３０に関しては後続側の色灯を点灯ではなく点滅させるところまでは上述の例と同様であるが、そのような区画室ユニット１３０の切換釦１３１が操作されると、その操作に応じて該当区画室ユニット１３０の表示器８０の表示内容を重複選択のうちで別の選択に対応するものに切り替えるように機能拡張されている。具体的には、赤色灯８４と緑色灯８５と青色灯８６のうち点滅していた色灯を一つ点灯状態に変更するとともに、それまで点灯していた色灯は点滅状態に変更する。また、数字表示ユニット８１への取出数の表示も、群分けに対応させて変更し、点灯させた選択群に係る取出数を表示させるようになっている。
【００５８】
この実施例２の薬品類収納装置１００について、その使用態様及び動作を、図面を引用して説明する。図７（ａ）〜（ｃ）は、何れも正面図の一部であり、図８（ａ）〜（ｃ）は、何れも正面図の一部であり、図９（ａ）〜（ｄ）は、何れも区画室ユニット１３０の正面図である。
ここでは、バーコードリーダ５２での読取などによる薬品類払出情報に基づく薬品類取出対象収納容器の選択を複数並列に行って更に重複選択された区画室ユニット１３０に係る選択の先後の入替も行う場合を詳述する。
【００５９】
この場合、一枚目の指示箋９のバーコードをバーコードリーダ５２に読ませると（図７（ａ）参照）、群分けを示すために例えば赤色灯１１４と赤色灯１２４が点灯する（図７（ｂ）参照）。また、読み取ったコードに基づいて、上述した薬品類収納装置１０のときと同様、対象薬品類収納中の区画室ユニット１３０が選択され、この先行選択群に属する区画室ユニット１３０については、数字表示ユニット８１に取出数が表示されるとともに、赤色灯８４が点灯する（図７（ｃ）参照）。赤色灯８４，１１４，１２４は同色であり選択群が同じであることを示している。
【００６０】
その払出作業が完了する前に、二枚目の指示箋９のバーコードをバーコードリーダ５２に読ませると（図８（ａ）参照）、別の群分けを示すために例えば緑色灯１１５と緑色灯１２５が点灯する（図８（ｂ）参照）。また、読み取ったコードに基づいて、やはり対象薬品類収納中の区画室ユニット１３０が選択され、この後続選択群に属する区画室ユニット１３０については、数字表示ユニット８１に取出数が表示されるとともに、緑色灯８５が点灯または点滅する（図８（ｃ）参照）。後続の選択群でも先行選択群と重複しない区画室ユニット１３０に関しては緑色灯８５が点灯させられるのに対し（図８（ｃ）では右上の区画室ユニット１３０を参照）、後続の選択群のうち先行選択群と重複する区画室ユニット１３０に関しては後続側の緑色灯８５が点滅させられる（図８（ｃ）では右下の区画室ユニット１３０を参照）。
【００６１】
赤色灯８４が点灯し緑色灯８５が点滅している区画室ユニット１３０では（図９参照）、先行選択群に対応する取出数が数字表示ユニット８１に表示されているので、赤の先行選択群の払出作業が文字通り先行しているときには、その赤色点灯と取出数表示の案内に従って前面開口３２から薬品類８を取り出せば良いが、緑の後続選択群の払出作業を先に行いたいときには、切換釦１３１を一回だけ押す（図９（ａ）参照）。そうすると、その操作に応じて、表示器８０の表示内容が切り替えられ、具体的には、赤色灯８４が点滅になり、緑色灯８５が点灯し、数字表示ユニット８１表示の取出数が後続選択群に対応したものに変更される（図９（ｂ）参照）。なお、切換釦１３１をもう一回すなわち合計二回押すと表示状態が元に戻るので、そのときは遣り直しのために切換釦１３１を更にもう一回押す。
【００６２】
そして、緑色灯８５を点灯させた状態で、その緑色点灯と取出数表示の案内に従って作業者が前面開口３２から薬品類８を取り出し（図９（ｂ）参照）、それから、手動で扉３１を閉めると（図９（ｃ）参照）、それに基づき、該当区画室ユニット１３０に関する後続選択群の払出作業の完了がコントローラ４０よって検知されて、緑色灯８５が消灯させられる（図９（ｄ）参照）。また、未遂の先行選択群の払出作業を引き続いて行わせるために、自動で、扉３１が再び開けられ、赤色灯８４が点灯状態に戻され、先行選択群に対応する取出数が数字表示ユニット８１に表示される（図９（ｄ）参照）。
【００６３】
その後は、その案内に従って、後回しになった赤の先行選択群の払出作業も進め完了させる。繰り返しとなる説明は割愛するが、選択の重複していない区画室ユニット１３０については、先後を気にする必要がなく、随時それぞれ表示器８０の案内表示に従って払出作業が遂行される。そして、それぞれの選択群の払出作業が総て完了すると、ログデータ４８が蓄積され、集計処理も可能となる。
こうして、この薬品類収納装置１００にあっては、バーコードリーダ５２での読取などによる薬品類払出情報に基づく薬品類取出対象収納容器の選択が複数並列に行えるばかりか、それにとどまらず、その順序の先後を入れ替えることも、簡単な操作で自在に行うことができる。
【実施例３】
【００６４】
本発明の薬品類収納装置の実施例３について、その具体的な構成を、図面を引用して説明する。図１０は、薬品類収納装置の構造を示す正面図および部分拡大図である。
この薬品類収納装置２００が上述した実施例２の薬品類収納装置１００と相違するのは、区画室ユニット１３０が扉３１の無い区画室ユニット２３０になった点である。
区画室ユニット２３０には、それぞれ、区画室ユニット１３０に無かった完了釦２３２が、付設されている。
完了釦２３２は、手動で操作される選択群払出作業完了通知部材として、表示器８０と共に区画室ユニット２３０の前面に装着されており、その操作状態がコントローラ４０に信号入力されるようになっている。
【００６５】
図示は割愛したが、コントローラ４０も、プログラムが一部改造されており、上述の薬品類収納装置１０，１００ではセンサ６３による扉３１の閉動作の検出に応じて行っていた各収納容器についての払出作業完了の判定を、この薬品類収納装置２００のコントローラ４０にあっては、完了釦２３２の操作に応じて行うようになっている。また、完了釦２３２が操作されたとき、その操作状態を時刻情報と共にログデータ４８に記録するようにもなっている。
【００６６】
この実施例３の薬品類収納装置２００について、その使用態様及び動作を、図面を引用して説明する。図１１（ａ）〜（ｄ）は、何れも区画室ユニット２３０の正面図である。ここでは、重複選択された区画室ユニット２３０に係る選択の先後の入替を行う場合を詳述する。
【００６７】
この場合も、赤色灯８４が点灯し緑色灯８５が点滅している区画室ユニット２３０では、先行選択群に対応する取出数が数字表示ユニット８１に表示されているので、それよりも緑の後続選択群の払出作業を先に行いたいときには、作業者が切換釦１３１を一回だけ押す（図１１（ａ）参照）。そうすると、その操作に応じて、自動で、表示器８０の表示内容が切り替えられる。具体的には、赤色灯８４が点滅になり、緑色灯８５が点灯し、数字表示ユニット８１表示の取出数が後続選択群に対応したものに変更される（図１１（ｂ）参照）。そこで、作業者は、その緑色点灯と取出数表示の案内に従って、前面開口３２から薬品類８を取り出す（図１１（ｂ）参照）。
【００６８】
それから、この場合は、扉３１が無いので、作業者が完了釦２３２を押す（図１１（ｃ）参照）。そうすると、その操作に基づいて、該当区画室ユニット２３０に関する後続選択群の払出作業の完了がコントローラ４０よって検知されて、緑色灯８５が消灯させられる（図１１（ｄ）参照）。また、未遂の先行選択群の払出作業を引き続いて行わせるために、自動で、赤色灯８４が点灯状態に戻され、先行選択群に対応する取出数が数字表示ユニット８１に表示される（図１１（ｄ）参照）。その後は、その案内に従って、後回しになった赤の先行選択群の払出作業も進め完了させる。
【００６９】
なお、この場合は、選択の重複していない区画室ユニット２３０についても、扉３１が無いので、表示器８０の案内表示に従って一つの区画室ユニット２３０に関する払出作業が完了する度に、そのことをコントローラ４０に通知するために、そこの完了釦２３２を押す。
こうして、この薬品類収納装置２００にあっても、バーコードリーダ５２での読取などによる薬品類払出情報に基づく薬品類取出対象収納容器の選択が複数並列に行えるとともに、その順序の先後を入れ替えることも簡単な操作で自在に行うことができる。
【００７０】
［その他］
なお、上記の実施例では、開閉部材の例として扉と引出を挙げたが、開閉部材は、これに限られるものでなく、例えばシャッターや引き戸のようなものでも良い。
また、上記の実施例では、収納容器の例として区画室と引出箱を挙げたが、収納容器は、これに限られるものでなく、例えば上下動する容器や回転動作する容器のようなものでも良い。
【００７１】
さらに、上記の実施例１では、表示器８０の数字表示ユニット８１が３桁であり、実施例２，３では数字表示ユニット８１が４桁であったが、表示桁数は、これに限られるものでなく、２桁でも、５桁以上でも良い。取出数の分割表示も、上述したものに限られる訳でなく、例えば数字表示ユニット８１を２群に分けて上下に離隔配置するようにしても良い。また、同じ薬品類８が２個以上の収納容器すなわち引出箱ユニット２０及び／又は区画室ユニット３０，１３０，２３０に収容されており、しかも何れか一つの収納容器には包装状態で収容され（図２（ｂ）の左半分を参照）何れか他の収納容器にはバラ状態で収容されており（図２（ｂ）の右半分を参照）、そのことが品種対個数テーブル４９中のフラグ等にて確認しうる場合には、それぞれの収納容器に付設された複数の表示器８０に取出数の表示を分担させるようにしても良い。すなわち、包装状態の薬品類８を収容している収納容器の表示器８０には取り出すべき包装数である非分割数を表示させ、バラ状態の薬品類８を収容している収納容器の表示器８０には取り出すべき錠数である分割数を表示させるようにするのも良い。
【００７２】
また、上記の実施例では、コントローラ４０のプログラムが複数ルーチン４１〜４５に分かれているが、プログラム構成は、これに限られるものでなく、例えば、単一のプログラムに纏められていても良く、任意個数のルーチンに分割されて連携するようになっていても良い。
また、上記の実施例１では、電磁コイル７３毎にドライバ６０を設け、多数のドライバ６０をＬＡＮにてコントローラ４０に接続したが、駆動回路の構成や接続手法は、これに限られるものでなく、例えば、ドライバ６０に複数のコイル７３を制御させても良く、コントローラ４０と各ドライバ６０とを一対一で接続しても良い。コイル７３やスイッチ部６２には、逆起電力から保護する等のため、フライホイールダイオードや保護ダイオード等を接続しても良い。永久磁石と電磁石の間には、プラスチックやステンレス板などの非磁性体があってもよい。スイッチ部６２をオンしてコイル７３に通電する時間は、例えば１００ｍｓ程度で足りることもあるが、磁石ユニットや開閉部材などの仕様に依存するので一概には言えない。
また、上記の実施例１では、開駆動手段と開閉検知手段とを別体で設けたが、これらは部材共用等にて一体的になっていても良い。例えば、上記の実施例では開閉検知手段の具体化に際してセンサ６３を検出専用に設けたが、これを廃して、その代わりに、開駆動手段のコイル７３のインダクタンス変化等を利用して開閉検出を行うようにしても良い。
【図面の簡単な説明】
【００７３】
【図１】本発明の実施例１について、薬品類収納装置の外観斜視図であり、（ａ）が初期状態、（ｂ）が払出状態である。
【図２】（ａ）が表示器の正面図、（ｂ）が薬品類の斜視図、（ｃ）及び（ｄ）が表示器の表示例である。
【図３】引出箱ユニットの要部構造を示す斜視図である。
【図４】区画室ユニットの要部構造を示す斜視図である。
【図５】制御系のブロック図である。
【図６】本発明の実施例２について、薬品類収納装置の構造を示す正面図および部分拡大図である。
【図７】（ａ）〜（ｃ）何れも正面図の一部であり使用状態を示す。
【図８】（ａ）〜（ｃ）何れも正面図の一部であり使用状態を示す。
【図９】（ａ）〜（ｄ）何れも区画室ユニットの正面図であり使用状態を示す。
【図１０】本発明の実施例３について、薬品類収納装置の構造を示す正面図および部分拡大図である。
【図１１】（ａ）〜（ｄ）何れも区画室ユニットの正面図であり使用状態を示す。
【符号の説明】
【００７４】
８    薬品類（医薬品、医療材料、分別保管払出対象）
９    指示箋（処方箋、調剤指示箋、払出リスト、薬品類払出情報）
１０    薬品類収納装置（収納装置、薬品棚、調剤台、保管庫、収納庫）
１１        棚部（区画室ユニット列設部）
１２        台部（引出箱ユニット載置部）
２０    引出箱ユニット（収納容器）
２１        箱体（容器本体部）
２２        引出（開閉部材）
２３        上面開口
３０    区画室ユニット（収納容器）
３１        扉（開閉部材）
３２        前面開口
３３        仕切板（容器本体部）
４０    コントローラ（制御装置）
４１        選択ルーチン（薬品類払出情報の調製手段、選択手段）
４２        開閉兼案内ルーチン（開閉制御手段、案内表示・分割表示手段）
４３        判定ルーチン（判定手段）
４４        記録ルーチン（記録手段）
４５        集計ルーチン（集計手段、表示手段）
４６        コード対品種テーブル（選択手段）
４７        品種対器テーブル（選択手段）
４８        ログデータ（記録データ）
５１    通信ユニット（指示データの受信装置）
５２    バーコードリーダ（指示箋の読取装置）
５３    文字読取装置（ＯＣＲ、指示箋の読取装置）
５４    カードリーダ（磁気カード、ＩＣカード、指示箋の読取装置）
５５    タッチパネル（入力装置、操作手段、表示手段）
６０    ドライバ（駆動回路等）
６１        スイッチ部（半導体スイッチ、導通遮断状態切換回路）
６２        電源部（駆動電流供給回路）
６３        センサ（開閉検知手段）
７０    磁石ユニット（開駆動手段）
７１        永久磁石
７２        鉄芯（軟鉄製の固定芯）
７３        コイル（電磁コイル）
８０    表示器（案内表示手段、分割表示手段）
８１        数字表示ユニット（一桁表示部、数字表示部材）
８２            発光素子（７セグメント、数字パターン構成要素）
８３            発光素子（小数点セグメント、区切り構成要素）
８４        赤色灯（選択群表示部材、払出単位表示灯、処方区別灯、待ち表示器）
８５        緑色灯（選択群表示部材、払出単位表示灯、処方区別灯、待ち表示器）
８６        青色灯（選択群表示部材、払出単位表示灯、処方区別灯、待ち表示器）
１００  薬品類収納装置（収納装置、薬品棚、調剤台、保管庫、収納庫）
１１４      赤色灯（選択群表示部材、払出単位表示灯、処方区別灯、待ち表示器）
１１５      緑色灯（選択群表示部材、払出単位表示灯、処方区別灯、待ち表示器）
１１６      青色灯（選択群表示部材、払出単位表示灯、処方区別灯、待ち表示器）
１２４      赤色灯（選択群表示部材、払出単位表示灯、処方区別灯、待ち表示器）
１２５      緑色灯（選択群表示部材、払出単位表示灯、処方区別灯、待ち表示器）
１２６      青色灯（選択群表示部材、払出単位表示灯、処方区別灯、待ち表示器）
１３０      区画室ユニット（収納容器）
１３１          切換釦（選択群切換釦、払出単位切換釦、処方切換子、待ち切換具）
２００  薬品類収納装置（収納装置、薬品棚、調剤台、保管庫、収納庫）
２３０      区画室ユニット（収納容器）
２３２          完了釦（選択群払出作業完了通知部材）
【図１】
2005288011.tif 000003
【図２】
2005288011.tif 000004
【図３】
2005288011.tif 000005
【図４】
2005288011.tif 000006
【図５】
2005288011.tif 000007
【図６】
2005288011.tif 000008
【図７】
2005288011.tif 000009
【図８】
2005288011.tif 000010
【図９】
2005288011.tif 000011
【図１０】
2005288011.tif 000012
【図１１】
2005288011.tif 000013